(57)【要約】【課題】タブレット型のパソコンをステーションに確実に取り付ける一方、簡単な操作でタブレット型のパソコンをステーションから取り外せる着脱機構を提供すること。【解決手段】フック６２が係止位置から待機位置に移動した場合にフック６２を待機位置で係止し、さらに、フック６２が鉤穴に挿入された場合に係止したフック６２を離脱させ、フック６２を待機位置から係止位置に移動させるトリガーを備えたので、フック６２を鉤穴に挿入すればタブレット型のパソコンをステーションに確実に取り付けることができ、イジェクトノブ６３を押し込むことにより、フック６２を係止位置からイジェクト位置に移動させれば、タブレット型のパソコンをステーションから簡単に取り外すことができる。【選択図】図５
2014099007.tif 000002
【特許請求の範囲】
【請求項１】
待機位置から係止位置に向けて付勢され、鉤穴に挿入された場合に待機位置から係止位置に移動することにより鉤穴に係止され、付勢力に抗して係止位置から待機位置に移動した場合に鉤穴から抜去可能となるフックを備えた着脱機構であって、
フックが係止位置から待機位置に移動した場合にフックを待機位置で係止し、さらに、フックが鉤穴に挿入された場合に係止したフックを離脱させ、フックを待機位置から係止位置に移動させるトリガーを備えたことを特徴とする着脱機構。
【請求項２】
前記トリガーは、前記フックが係止位置から待機位置に移動した場合に前記フックに係合する一方、前記フックが鉤穴に挿入された場合に係合したフックを離脱させる制御突起を有することを特徴とする請求項１に記載の着脱機構。
【請求項３】
前記フックは、フックが係止位置から待機位置に移動した場合に前記制御突起に係合し、フックが鉤穴に挿入された場合に係合した制御突起から離脱する係合突起を有することを特徴とする請求項２に記載の着脱機構。
【請求項４】
前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする請求項１〜３のいずれか一つに記載の着脱機構。
【請求項５】
前記鉤穴がタブレット型の電子機器に設けられ、前記フックと前記トリガーとが前記タブレット型の電子機器を装着するステーションに設けられたことを特徴とする請求項１〜４のいずれか一つに記載の着脱機構。
【請求項６】
待機位置から係止位置に向けて付勢され、被装着装置に設けた鉤穴に挿入された場合に待機位置から係止位置に移動することにより前記鉤穴に係止され、付勢力に抗して係止位置から待機位置に移動した場合に前記鉤穴から抜去可能となるフックを備えた装着装置であって、
フックが係止位置から待機位置に移動した場合にフックを待機位置で係止し、さらに、フックが鉤穴に挿入された場合に係止したフックを離脱させ、フックを待機位置から係止位置に移動させるトリガーを備えたことを特徴とする装着装置。
【請求項７】
前記トリガーは、前記フックが係止位置から待機位置に移動した場合に前記フックに係合する一方、前記フックが鉤穴に挿入された場合に係合したフックを離脱させる制御突起を有することを特徴とする請求項６に記載の装着装置。
【請求項８】
前記フックは、フックが係止位置から待機位置に移動した場合に前記制御突起に係合し、フックが鉤穴に挿入された場合に係合した制御突起から離脱する係合突起を有することを特徴とする請求項７に記載の装着装置。
【請求項９】
前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする請求項６〜８のいずれか一つに記載の装着装置。
【請求項１０】
前記トリガーは、コネクタを保護するコネクタカバーに設けたことを特徴とする請求項６〜９のいずれか一つに記載の装着装置。
【請求項１１】
鉤穴が設けられた電子機器本体と、
待機位置から係止位置に向けて付勢され、前記鉤穴に挿入された場合に、待機位置から係止位置に移動することにより前記鉤穴に係止され、付勢力に抗して係止位置から待機位置に移動した場合に鉤穴から抜去するフックと、フックが係止位置から待機位置に移動した場合にフックを待機位置で係止し、さらに、フックを待機位置から係止位置に移動させるトリガーとを備えたステーションと、
を備えたことを特徴とする電子機器。
【請求項１２】
前記トリガーは、前記フックが係止位置から待機位置に移動した場合に前記フックに係合する一方、前記フックが鉤穴に挿入された場合に係合したフックを離脱させる制御突起を有することを特徴とする請求項１１に記載の電子機器。
【請求項１３】
前記フックは、フックが係止位置から待機位置に移動した場合に前記制御突起に係合し、フックが鉤穴に挿入された場合に係合した制御突起から離脱する係合突起を有することを特徴とする請求項１２に記載の電子機器。
【請求項１４】
前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする請求項１１〜１３のいずれか一つに記載の電子機器。
【請求項１５】
前記トリガーは、ステーションに設けられたコネクタを保護するコネクタカバーに設けたことを特徴とする請求項１１〜１４のいずれか一つに記載の電子機器。
【発明の詳細な説明】
【技術分野】
【０００１】
本発明は、タブレット型のパソコンをステーションに装着したノート型のパソコンなどに採用する着脱機構、タブレット型のパソコンなどを装着する装着装置、タブレット型のパソコンなどを装着した電子機器に関する。
【背景技術】
【０００２】
タブレット型のパソコンをステーションに装着したノート型のパソコンは、タブレット型のパソコンをステーションに装着したときに、タブレット型のパソコンに設けたコネクタがステーションに設けたコネクタに接続され、タブレット型のパソコンとステーションとの間でデータの入出力が可能になる（たとえば、特許文献１参照）。
【０００３】
したがって、上述したノート型のパソコンでは、タブレット型のパソコンをステーションに確実に取り付けることが要求される。
【先行技術文献】
【特許文献】
【０００４】
【特許文献１】特開２００６−１２７５３８号公報
【発明の概要】
【発明が解決しようとする課題】
【０００５】
しかしながら、上述したノート型のパソコンでは、簡単な操作でタブレット型のパソコンをステーションから取り外せることも要求される。
【０００６】
本発明は、上記に鑑みてなされたものであって、被装着物を装着物に確実に取り付ける一方、簡単な操作で被装着物を装着物から取り外せる着脱機構、被装着装置を確実に取り付ける一方、簡単な操作で被装着装置を取り外せる装着装置、電子機器本体をステーションに確実に取り付ける一方、簡単な操作で電子機器本体をステーションから取り外せる電子機器を提供することを課題とする。
【課題を解決するための手段】
【０００７】
上述した課題を解決し、目的を達成するために、本発明は、待機位置から係止位置に向けて付勢され、鉤穴に挿入された場合に待機位置から係止位置に移動することにより鉤穴に係止され、付勢力に抗して係止位置から待機位置に移動した場合に鉤穴から抜去可能となるフックを備えた着脱機構であって、フックが係止位置から待機位置に移動した場合にフックを待機位置で係止し、さらに、フックが鉤穴に挿入された場合に係止したフックを離脱させ、フックを待機位置から係止位置に移動させるトリガーを備えたことを特徴とする。
【０００８】
また、本発明は、上記発明において、前記トリガーは、前記フックが係止位置から待機位置に移動した場合に前記フックに係合する一方、前記フックが鉤穴に挿入された場合に係合したフックを離脱させる制御突起を有することを特徴とする。
【０００９】
また、本発明は、上記発明において、前記フックは、フックが係止位置から待機位置に移動した場合に前記制御突起に係合し、フックが鉤穴に挿入された場合に係合した制御突起から離脱する係合突起を有することを特徴とする。
【００１０】
また、本発明は、上記発明において、前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする。
【００１１】
また、本発明は、上記発明において、前記鉤穴がタブレット型の電子機器に設けられ、前記フックと前記トリガーとが前記タブレット型の電子機器を装着するステーションに設けられたことを特徴とする。
【００１２】
また、本発明は、待機位置から係止位置に向けて付勢され、被装着装置に設けた鉤穴に挿入された場合に待機位置から係止位置に移動することにより前記鉤穴に係止され、付勢力に抗して係止位置から待機位置に移動した場合に前記鉤穴から抜去可能となるフックを備えた装着装置であって、フックが係止位置から待機位置に移動した場合にフックを待機位置で係止し、さらに、フックが鉤穴に挿入された場合に係止したフックを離脱させ、フックを待機位置から係止位置に移動させるトリガーを備えたことを特徴とする。
【００１３】
また、本発明は、上記発明において、前記トリガーは、前記フックが係止位置から待機位置に移動した場合に前記フックに係合する一方、前記フックが鉤穴に挿入された場合に係合したフックを離脱させる制御突起を有することを特徴とする。
【００１４】
また、本発明は、上記発明において、前記フックは、フックが係止位置から待機位置に移動した場合に前記制御突起に係合し、フックが鉤穴に挿入された場合に係合した制御突起から離脱する係合突起を有することを特徴とする。
【００１５】
また、本発明は、上記発明において、前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする。
【００１６】
また、本発明は、上記発明において、前記トリガーは、コネクタを保護するコネクタカバーに設けたことを特徴とする。
【００１７】
また、本発明は、鉤穴が設けられた電子機器本体と、待機位置から係止位置に向けて付勢され、前記鉤穴に挿入された場合に、待機位置から係止位置に移動することにより前記鉤穴に係止され、付勢力に抗して係止位置から待機位置に移動した場合に鉤穴から抜去するフックと、フックが係止位置から待機位置に移動した場合にフックを待機位置で係止し、さらに、フックを待機位置から係止位置に移動させるトリガーとを備えたステーションとを備えたことを特徴とする。
【００１８】
また、本発明は、上記発明において、前記トリガーは、前記フックが係止位置から待機位置に移動した場合に前記フックに係合する一方、前記フックが鉤穴に挿入された場合に係合したフックを離脱させる制御突起を有することを特徴とする。
【００１９】
また、本発明は、上記発明において、前記フックは、フックが係止位置から待機位置に移動した場合に前記制御突起に係合し、フックが鉤穴に挿入された場合に係合した制御突起から離脱する係合突起を有することを特徴とする。
【００２０】
また、本発明は、上記発明において、前記フックは、前記鉤穴に挿入され、前記鉤穴に係止されるフック部と、フックを係止位置から待機位置に移動操作するイジェクトノブ部と、前記フック部と前記イジェクトノブ部との間に設けられたガイド部とを有することを特徴とする。
【００２１】
また、本発明は、上記発明において、前記トリガーは、ステーションに設けられたコネクタを保護するコネクタカバーに設けたことを特徴とする。
【発明の効果】
【００２２】
本発明にかかる着脱機構は、フックが係止位置から待機位置に移動した場合にフックを待機位置で係止し、さらに、フックが鉤穴に挿入された場合に係止したフックを離脱させ、フックを待機位置から係止位置に移動させるので、フックを鉤穴に挿入すれば、係止されたフックが離脱し、フックが待機位置から係止位置に移動する。これにより、フックは鉤穴に係止され、被装着物を装着物に確実に取り付けることができる。この状態でフックを係止位置から待機位置に移動させれば、フックが待機位置で係止されるので、フックを係止位置から待機位置に移動させるという簡単な操作で被装着物を装着物から取り外すことができる。
【００２３】
また、本発明にかかる装着装置は、フックが係止位置から待機位置に移動した場合にフックを待機位置で係止し、さらに、フックが鉤穴に挿入された場合に係止したフックを離脱させ、フックを待機位置から係止位置に移動させるので、フックを鉤穴に挿入すれば、係止されたフックが離脱し、フックが待機位置から係止位置に移動する。これにより、フックは鉤穴に係止され、被装着装置を装着装置に確実に取り付けることができる。この状態でフックを係止位置から待機位置に移動させれば、フックが待機位置で係止されるので、フックを係止位置から待機位置に移動させるという簡単な操作で被装着装置を装着装置から取り外すことができる。
【００２４】
また、本発明にかかる電子機器は、鉤穴が設けられた電子機器本体と、待機位置から係止位置に向けて付勢され、鉤穴に挿入された場合に、待機位置から係止位置に移動することにより前記鉤穴に係止され、付勢力に抗して係止位置から待機位置に移動した場合に鉤穴から抜去するフックと、フックが係止位置から待機位置に移動した場合にフックを待機位置で係止し、さらに、フックを待機位置から係止位置に移動させるトリガーとを備えたステーションとを備えたので、フックを鉤穴に挿入すれば、係止されたフックが離脱し、フックが待機位置から係止位置に移動する。これにより、フックは鉤穴に係止され、電子機器本体をステーションに確実に取り付けることができる。この状態でフックを係止位置から待機位置に移動させれば、フックが待機位置で係止されるので、フックを係止位置から待機位置に移動させるという簡単な操作で電子機器本体をステーションから取り外すことができる。
【図面の簡単な説明】
【００２５】
【図１】図１は、本発明の実施の形態である着脱機構を採用したノート型のパソコンを示す斜視図である。
【図２】図２は、図１に示したノート型のパソコンのタブレット型のパソコンを閉じた状態を示す斜視図である。
【図３】図３は、図１に示したノート型のパソコンの後方を視点とする斜視図である。
【図４】図４は、図３に示したノート型のパソコンからタブレット型のパソコンを取り外した状態を示す斜視図である。
【図５】図５は、図４に示した装着部の内部構造を示す斜視図である。
【図６】図６は、図４に示した装着部の内部構成を示す背面図である。
【図７】図７は、タブレット型のパソコンをステーションに装着する手順を説明するための概念図であって、タブレット型のパソコンをステーションに装着する前の状態を示す図である。
【図８】図８は、タブレット型のパソコンをステーションに装着する手順を説明するための概念図であって、タブレット型のパソコンをステーションに装着する途中の状態を示す図である。
【図９】図９は、タブレット型のパソコンをステーションに装着する手順を説明するための概念図であって、タブレット型のパソコンをステーションに装着した状態を示す図である。
【図１０】図１０は、タブレット型のパソコンをステーションに装着する手順を説明するための概念図であって、フックが鉤穴に係止された状態を示す図である。
【図１１】図１１は、タブレット型のパソコンをステーションから取り外す手順を説明するための概念図であって、フックが鉤穴から離脱した状態を示す図である。
【図１２】図１２は、タブレット型のパソコンをステーションから取り外す手順を説明するための概念図であって、タブレット型のパソコンをステーションから取り外す途中の状態を示す図である。
【図１３】図１３は、タブレット型のパソコンをステーションから取り外す手順を説明するための概念図であって、タブレット型のパソコンをステーションから取り外した後の状態を示す図である。
【図１４】図１４は、スライダとコネクタカバーとの関係を示す図であって、（ａ）は、タブレット型のパソコンをステーションに装着した時の状態を示す図、（ｂ）は、イジェクトノブを押し込んだ時の状態を示す図、（ｃ）は、タブレット型のパソコンをステーションから取り外した時の状態を示す図である。
【発明を実施するための形態】
【００２６】
以下に、本発明にかかる着脱機構を図面に基づいて詳細に説明する。ここでは、タブレット型のパソコンをステーションに装着したノート型のパソコンに採用した着脱機構を例に説明するが、タブレット型のパソコンをステーションに装着したノート型のパソコンにのみこの発明が採用されるものではない。
【００２７】
図１は、本発明の実施の形態である着脱機構を採用したノート型のパソコンを示す斜視図であり、図２は、図１に示したノート型のパソコンのタブレット型のパソコンを閉じた状態を示す斜視図である。また、図３は、図１に示したノート型のパソコンの後方を視点とする斜視図であり、図４は、タブレット型のパソコンをステーションから取り外した状態を示す斜視図である。
【００２８】
図１および図２に示すように、本発明の実施の形態である着脱機構を採用したノート型のパソコン１は、タブレット型のパソコン２をステーション３に着脱可能に装着したもので、タブレット型のパソコン２は、ステーション３に装着して使用されるとともに、単独でも使用される。これにより、タブレット型のパソコン２は、表示器２１のほか、制御基板（図示せず）、バッテリ（図示せず）などが搭載され、従来のノート型のパソコンの蓋体よりも重量の大きなものとなる。
【００２９】
また、タブレット型のパソコン２は、ステーション３に装着する下面にコネクタ（図示せず）が設けてある。コネクタは、データの入出力を可能にする入出力端子で、その接続端面がタブレット型のパソコン２の下面と面一あるいは下面より内側にへこむように設けてある。また、コネクタは、その接続端面が細長い矩形形状であって、タブレット型のパソコン２の幅方向中央を境に対称に設けてある。これにより、タブレット型のパソコン２を裏返してもコネクタが反転するだけで、コネクタは、タブレット型のパソコン２を裏返す前と後で幅方向左右に位置がずれることはない。
【００３０】
また、タブレット型のパソコン２は、ステーション３に装着する下面に一対の装着穴（図示せず）と一対の鉤穴２２（図７参照）とが設けてある。装着穴は、タブレット型のパソコン２をステーション３に装着した場合に、ステーション３の一部（装着部５に設けた挿入部５１）が挿入され、当該一部に支持される部分である。一対の装着穴は、タブレット型のパソコン２の幅方向中央を境に対称に設けてあり、その位置は、タブレット型のパソコン２の幅方向両端であり、その入口形状は、タブレット型のパソコン２の幅方向に細長い矩形形状に形成してある。
【００３１】
鉤穴２２は、タブレット型のパソコン２をステーション３に装着した場合に、ステーション３の一部（スライダ６に設けたフック６２）が挿入され、当該一部に係止される部分である。一対の鉤穴２２は、タブレット型のパソコン２の幅方向中央を境に対称に設けてあり、その位置は、タブレット型のパソコン２を幅方向に四等分する二つの位置（１／４の位置と３／４の位置）である。鉤穴２２は、凹部２２１と凹部２２１の入口に設けた一対の係止段部２２２とを有しており、これらは、鉤穴２２の中央を境に対称に形成してある。凹部２２１は、ステーション３の一部（装着部５に設けたフック６２の幹部６２２と頭部６２３）が挿入される部分で、タブレット型のパソコン２の幅方向に広く厚み方向に薄い直方体形状に形成してある。係止段部２２２は、ステーション３の一部（スライダ６に設けたフック６２の頭部６２３）が係止される部分で、タブレット型のパソコン２の幅方向、凹部２２１の内側に向けて突出するように形成してある。
【００３２】
図１に示すように、ステーション３は、上述したように、タブレット型のパソコン２を装着して使用するもので、その幅は、タブレット型のパソコン２と略同一の幅を有している。ステーション３は、図４に示すように、ステーション本体４と、装着部５とを備えて構成してあり、これらはいずれもタブレット型のパソコン２と略同一の幅を有している。図１に示すように、ステーション本体４は、タブレット型のパソコン２を装着して使用する場合に机の上や膝の上に載せられる部分であり、その上面に操作キー４１やタッチパッド４２からなるキーボード４３が設けてある。
【００３３】
図５は、図４に示した装着部の内部構成を示す斜視図であり、図６は、図４に示した装着部の内部構成を示す背面図である。図３および図４に示すように、装着部５は、タブレット型のパソコン２を装着する部分で、ステーション本体４に対して回動可能に取り付けてあり、装着部５を回動可能に支承する軸は、軸の後側にステーション本体４の奥行きが残るように、ステーション本体４の上に配置してある。このように、軸の後側にステーション本体４の奥行きが残るように、軸をステーション本体４の上に配置したノート型のパソコン１は、装着したタブレット型のパソコン２が従来のノート型のパソコンの蓋体よりも重量が大きい場合であっても、軸の後側となる領域（奥行き）に支えられ、タブレット型のパソコン２側に倒れることがない。
【００３４】
図５に示すように、装着部５には、装着端面５Ａが設けてある。装着端面５Ａは、装着したタブレット型のパソコン２の下面が突き合わせられる面で、上述した軸の軸心と平行に形成してある。装着端面５Ａは、タブレット型のパソコン２と略同一の幅を有しており、装着端面５Ａにコネクタ（図示せず）が設けてある。コネクタは、タブレット型のパソコン２の下面に設けたコネクタが接続され、データの入出力が可能になる入出力端子で、その接続端面が装着部５の装着端面５Ａよりも上方に突出するように設けてある。また、コネクタは、その接続端面が細長い矩形形状であって、装着部５の幅方向中央を境に対称に設けてある。これにより、コネクタをタブレット型のパソコン２の幅方向中央を境に対称に設けたタブレット型のパソコン２を裏返しても装着部５に装着可能である。
【００３５】
また、図４に示すように、装着部５は、装着端面５Ａに一対の挿入部５１が設けてある。一対の挿入部５１は、タブレット型のパソコン２を装着部５に装着した場合にタブレット型のパソコン２の下面に設けた装着穴に挿入され、タブレット型のパソコン２を支持するものである。一対の挿入部５１は、装着端面５Ａの幅方向中央を境に対称に設けてあり、その位置は、装着端面５Ａの幅方向両端である。また、挿入部５１は、装着端面５Ａの幅方向に細長い断面形状を有しており、その外側となる側面は装着端面５Ａに対して直角に形成され、その内側となる側面は装着端面５Ａに対して斜めに形成されている。
【００３６】
また、装着部５は、スライダ６とコネクタカバー７とを備えている。スライダ６は、装着部５に対して幅方向にスライド可能であって、装着部５とスライダ６との間には引っ張りコイルバネ６１（図６参照）が架け渡してある。これにより、引っ張りコイルバネ６１には弾性復元力が作用し、スライダ６は待機位置から係止位置に向けて付勢される。また、スライダ６には、その上面に装着部５の装着端面５Ａから突出する一対のフック６２が設けてあり、待機位置に対して係止位置側となる端部（左側端部）にイジェクトノブ６３が設けてある。
【００３７】
一対のフック６２は、タブレット型のパソコン２（被装着物）を装着部５（装着物）に確実に取り付けるためのもので、待機位置で装着するタブレット型のパソコン２の下面に設けた一対の鉤穴２２にそれぞれ対向する一方、係止位置で装着するタブレット型のパソコン２の下面に設けた一対の鉤穴２２にそれぞれ係止される。フック６２は、基部６２１のほか、鉤穴２２に挿入される幹部６２２および頭部６２３を有している。基部６２１は、スライダ６から上方に突出した部分であり、直方体形状に形成され、装着部５に収容されている。幹部６２２は、基部６２１からさらに上方に突出した部分であり、装着部５からも突出し、鉤穴２２に挿入された場合に係止段部２２２の内側端面に対向する。頭部６２３は、幹部６２２から上方に突出した部分であり、幹部６２２から係止位置側に張り出している。これにより、幹部６２２と頭部６２３とが鉤穴２２に挿入され、その状態でスライダ６が待機位置から係止位置に移動すると、フック６２の頭部６２３が鉤穴２２の係止段部２２２の上面に係止される。
【００３８】
イジェクトノブ６３は、係止位置から待機位置に移動するように、スライダ６を移動させるためのもので、スライダ６が係止位置に位置する場合に待機位置に対して係止位置側となる装着部５の端面（左端面）から突出する。この状態から、引っ張りコイルバネ６１の弾性復元力に抗してイジェクトノブ６３を押し込むと、スライダ６が係止位置から待機位置を越えてイジェクト位置に移動する。
【００３９】
コネクタカバー７は、装着部５に対して上下方向にスライド可能であって、装着部５とコネクタカバー７との間には圧縮コイルバネ７１が収容してある。これにより、圧縮コイルバネ７１には弾性復元力が作用し、コネクタカバー７は上方に向けて付勢される。また、コネクタカバー７には、コネクタ口（図示せず）と一対のフック口７ｂとが設けてある。
【００４０】
コネクタ口は、装着部５に設けたコネクタが進退するための開口で、装着部５に設けたコネクタが挿通する細長い矩形形状に形成してある。これにより、装着部５に設けたコネクタの接続端面がコネクタカバー７の上面と面一あるいは上面よりも下側に退避する。この状態から、圧縮コイルバネ７１の弾性復元力に抗してコネクタカバー７を押し込むと、コネクタカバー７が押し下げられ、装着部５に設けたコネクタがコネクタカバー７の上面から突出する。このように、装着部５に設けたコネクタがコネクタカバー７の上面から突出すると、装着部５に設けたコネクタにタブレット型のパソコン２の下面に設けたコネクタが接続可能となる。
【００４１】
フック口７ｂは、フック６２が挿通するための開口で、フック口７ｂを挿通したフック６２がイジェクト位置と係止位置との間で移動可能となるように、細長い矩形形状に形成してある。これにより、フック６２の頭部６２３の先端だけがコネクタカバー７の上面から突出し、コネクタカバー７が押し下げられると、フック６２の頭部６２３と幹部６２２とがコネクタカバー７の上面から突出する。このように、コネクタカバー７の上面から突出したフック６２の頭部６２３と幹部６２２は、待機位置において鉤穴２２に挿入可能となり、鉤穴２２に挿入された状態で待機位置から係止位置に移動すると、鉤穴２２に係止される。
【００４２】
上述したスライダ６とコネクタカバー７とには、トリガーが設けてある。トリガーは、スライダ６が係止位置から待機位置に移動された場合にスライダ６を待機位置で係止し、さらに、コネクタカバー７が押し下げられた場合に係止したスライダ６を離脱させ、スライダ６を待機位置から係止位置に移動させるものである。図５に示すように、トリガーは、スライダ６に設けたスライド片６４の後面に設けた係合突起６４１と、スライド片６４の後面に対向するコネクタカバー７の内側面に設けた制御突起７２とにより構成される。
【００４３】
スライド片６４は、スライダ６と一体に形成されたもので、スライダ６の幅方向（スライド方向）に延びて、装着部５の前後方向に可撓性を有している。スライド片６４の後面に設けた係合突起６４１は、コネクタカバー７の内側面に向けて突出しており、先端側にスライド片６４の後面に対して鋭角に設けた傾斜面と、基端側にスライド片６４の後面に対して直角に設けた係合面とを有している。
【００４４】
コネクタカバー７の内側面に設けた制御突起７２は、スライダ６がイジェクト位置から待機位置に移動した場合に係合突起６４１と係合する第１突起７２１と、第１突起７２１と斜向かいとなる位置に設けられ、スライダ６が係止位置からイジェクト位置に移動した場合に係合突起６４１と係合する第２突起７２２とを有している。第１突起７２１と第２突起７２２は、それぞれスライダ６の後面に向けて突出しており、コネクタカバー７の内側面に対して鋭角に設けた傾斜面と、コネクタカバー７の内側面に対して直角に設けた係合面とを有している。
【００４５】
図７〜図１０は、タブレット型のパソコンをステーションに装着する手順を説明するための概念図であり、図１１〜図１３は、タブレット型のパソコンをステーションから取り外す手順を説明するための概念図である。図１４は、スライダとコネクタカバーとの関係を示す図である。
【００４６】
上述した本発明の実施の形態である着脱機構は、図７に示すように、タブレット型のパソコン２をステーション３に装着する前の状態で、スライダ６が待機位置に位置し、スライド片６４の後面に設けた係合突起６４１と、コネクタカバー７の内側面に設けた第１突起７２１とが係合し、スライダ６は待機位置に係止される。これにより、スライダ６は待機位置に待機し、スライダ６に設けたフック６２は、ステーション３に装着するタブレット型のパソコン２の下面に設けた鉤穴２２に対向する。
【００４７】
この状態からタブレット型のパソコン２をステーション３に装着すると、タブレット型のパソコン２の下面が装着部５の装着端面５Ａに徐々に近づき、やがて、図８に示すように、タブレット型のパソコン２の下面がコネクタカバー７の上面を押圧する。すると、コネクタカバー７は、装着部５の装着端面５Ａに向けて押し下げられ、やがて、図９に示すように、コネクタカバー７の上面は、装着部５の装着端面と面一となる。すると、コネクタカバー７の内側面に設けた第１突起７２１は、スライド片６４の後面に設けた係合突起６４１から離脱する。そして、スライダ６には引っ張りコイルバネ６１の弾性復元力が作用し、図１０に示すように、スライダ６が待機位置から係止位置に移動する。これに伴い、フック６２の頭部６２３は、鉤穴２２に設けた係止段部２２２に係合し、タブレット型のパソコン２はステーション３に確実に取り付けられる。このとき、イジェクトノブ６３の操作端面は、図１４（ａ）に示すように、装着部５の側端面と面一になる。
【００４８】
この状態からタブレット型のパソコン２をステーション３から取り外す場合には、イジェクトノブ６３を押し込む。すると、スライダ６が係止位置から待機位置を越えてイジェクト位置に移動する。このとき、スライド片６４は前方に撓み、係合突起６４１は第２突起７２２を乗り越える。これにより、図１１に示すように、係合突起６４１は第２突起７２２と係合する。このとき、イジェクトノブ６３の操作端面は、図１４（ｂ）に示すように、装着部５の側端面から最もへこむことになる。
【００４９】
この状態からタブレット型のパソコン２をステーション３から取り外すと、図１２に示すように、圧縮コイルバネ７１の弾性復元力が作用し、コネクタカバー７を押し上げる。やがて、図１３に示すように、係合突起６４１は、第２突起７２２から離脱し、スライダ６はイジェクト位置から待機位置に移動し、係合突起６４１は第１突起７２１と係合する（図７参照）。これにより、スライダ６は、待機位置に係止される。このとき、イジェクトノブ６３の操作端面は、図１４（ｃ）に示すように、図１４（ｂ）に示した位置よりも装着部５の側端面側に位置することになる。
【００５０】
上述した本発明の実施の形態である着脱機構は、スライダ６が係止位置から待機位置に移動した場合にスライダ６を待機位置で係止し、さらに、フック６２が鉤穴２２に挿入された場合に係止したスライダ６が離脱し、スライダ６を待機位置から係止位置に移動させる。これにより、フック６２は鉤穴２２に係止され、タブレット型のパソコン２（被装着物）をステーション３の装着部５（装着物）に確実に取り付けることができる。この状態で、イジェクトノブ６３を押し込むことにより、スライダ６を係止位置からイジェクト位置に移動させれば、スライダ６がイジェクト位置に移動するので、タブレット型のパソコン２をステーション３の装着部５から簡単に取り外すことができる。
【００５１】
そして、タブレット型のパソコン２をステーション３の装着部５から取り外すと、コネクタカバー７が押し上げられ、スライダ６がイジェクト位置から待機位置に移動し、係合突起６４１が第１突起７２１と係合するので、スライダ６は待機位置に留まる。これにより、格別な操作をしなくても、タブレット型のパソコン２をステーション３の装着部５に取り付けることができる。
【符号の説明】
【００５２】
１    ノート型のパソコン（電子機器）
２    タブレット型のパソコン（被装着装置，電子機器本体）
２１    表示器
２２    鉤穴
２２１    凹部
２２２    係止段部
３    ステーション（装着装置）
４    ステーション本体
４１    操作キー
４２    タッチパッド
４３    キーボード
５    装着部
５Ａ    装着端面
５１    挿入部
６    スライダ
６１    引っ張りコイルバネ
６２    フック
６２１    基部
６２２    幹部
６２３    頭部
６３    イジェクトノブ
６４    スライド片
６４１    係合突起
７    コネクタカバー
７ｂ    フック口
７１    圧縮コイルバネ
７２    制御突起
７２１    第１突起
７２２    第２突起
【図１】
2014099007.tif 000003
【図２】
2014099007.tif 000004
【図３】
2014099007.tif 000005
【図４】
2014099007.tif 000006
【図５】
2014099007.tif 000007
【図６】
2014099007.tif 000008
【図７】
2014099007.tif 000009
【図８】
2014099007.tif 000010
【図９】
2014099007.tif 000011
【図１０】
2014099007.tif 000012
【図１１】
2014099007.tif 000013
【図１２】
2014099007.tif 000014
【図１３】
2014099007.tif 000015
【図１４】
2014099007.tif 000016